(57)【要約】【課題】ユーザが道に迷い、通信不可エリアへ移動してしまった場合であっても通信可能エリアへユーザを誘導する技術を提供することにある。【解決手段】携帯電話網３０との通信及び、ＧＰＳ衛星４０の電波を受信可能な携帯電話端末１０を使用し、電波強度計測タイミングとなり、電波強度が予め定められた値以下になったならば、携帯電話端末１０が存在していた位置に係る情報を時系列的に記録し、位置探索操作または通信不可エリア表示操作をしたならば、携帯電話端末１０が存在していた位置に係る情報の一部または全てを携帯電話端末１０が備える表示部１０４に表示する。【選択図】  図１
2016138859.tif 000002
【特許請求の範囲】
【請求項１】
自携帯電話端末が存在している位置に係る情報を取得するＧＰＳ機能を有する携帯電話端末であって、
自携帯電話端末が帰属する基地局から到来する電波の電波強度を監視し、当該電波強度が前記基地局との通信が可能な予め定められた最小の電波強度の値以下になったか否かを判定する通信限界判定手段と、
前記電波強度が前記予め定められた最小の電波強度の値以下になると、前記電波強度が前記予め定められた値以下になった時点からの自携帯電話端末が存在していた位置に係る情報を時系列的に記録する電波強度連動位置情報記録手段と、を有し、
通信可能なエリアを探索する旨の操作が為された場合に、基地局から到来する電波の電波強度が通信が不可能な電波強度であったならば、前記電波強度連動位置情報記録手段が記録した前記電波強度が前記予め定められた値以下になった時点からの自携帯電話端末が存在していた位置に係る情報の一部または全てを自携帯電話端末が備える表示部に表示することを特徴とする通信可能エリア記録機能を有する携帯電話端末。
【発明の詳細な説明】
【技術分野】
【０００１】
本発明は、携帯電話端末に関し、特に、通信不可能なエリアから通信可能なエリアへユーザを誘導する技術に関する。
【背景技術】
【０００２】
ＧＰＳ装置（Ｇｌｏｂａｌ  Ｐｏｓｉｔｉｏｎｉｎｇ  Ｓｙｓｔｅｍ）とＶＨＦ（Ｖｅｒｙ  Ｈｉｇｈ  Ｆｒｅｑｕｅｎｃｙ）帯の電波を使用する無線通信機を備える船舶等において、ＧＰＳ装置で取得した現在位置情報をＶＨＦ帯の電波に変調して近傍の湾岸局に通知し、遭難等の非常事態に対する救援を要請することを可能にする技術がある（例えば、特許文献１）。
【０００３】
一方、歩行者が携帯するスマートホン等の携帯電話端末においても、ＧＰＳ機能が搭載されていることが一般的であり、移動行程を記録したり、周辺の地図をダウンロードして表示したりすることができる。これにより、不案内な場所（例えば、山菜取りやキノコ狩りの山中）を散策して道に迷った場合でも、周辺の地図をダウンロードして散策を継続することや、救援を要請することが可能である。
【０００４】
しかしながら、携帯電話端末等が使用する電波は、上述のＶＨＦ帯に比べて通信距離の短い電波であって、比較的狭い範囲で通信可能なエリアと通信不可能なエリアが混在することがある（例えば、山中）。そのため、通信不可能なエリアで道に迷った場合、周辺地図のダウンロードや救援要請をするには、携帯電話端末の受信電波強度を示すアンテナマークの本数を確認しながら、そのまま通信可能なエリアに至るまで突き進むか、現在地に至るまでに通過した通信可能なエリアまで戻る必要がある。少なくとも正確に来た道を戻れば、いずれ通信可能なエリアになるのは明確だが、どこまで戻ればよいのかが分からないという不安がある。
【先行技術文献】
【特許文献】
【０００５】
【特許文献１】特開平９−３０４５０６号公報
【発明の概要】
【発明が解決しようとする課題】
【０００６】
そこで、本発明の課題は、通信不可能なエリアに迷い込んだ状態で、携帯電話端末による通信を実行する必要が生じた場合に、通信可能であった最新のエリアへの戻る行程を表示できる携帯電話端末を提供することにある。
【課題を解決するための手段】
【０００７】
上記課題を解決するために、本発明は、自携帯電話端末が存在している位置に係る情報を取得するＧＰＳ機能を有する携帯電話端末であって、自携帯電話端末が帰属する基地局から到来する電波の電波強度を監視し、当該電波強度が前記基地局との通信が可能な予め定められた最小の電波強度の値以下になったか否かを判定する通信限界判定手段と、前記電波強度が前記予め定められた最小の電波強度の値以下になると、前記電波強度が前記予め定められた値以下になった時点からの自携帯電話端末が存在していた位置に係る情報を時系列的に記録する電波強度連動位置情報記録手段と、を有し、通信可能なエリアを探索する旨の操作が為された場合に、基地局から到来する電波の電波強度が通信が不可能な電波強度であったならば、前記電波強度連動位置情報記録手段が記録した前記電波強度が前記予め定められた値以下になった時点からの自携帯電話端末が存在していた位置に係る情報の一部または全てを自携帯電話端末が備える表示部に表示することを特徴とする。
【発明の効果】
【０００８】
本発明によれば、通信可能であった最新のエリアへ戻る行程を表示できる携帯電話端末を提供できる。これにより、本携帯電話端末を所持する者は、通信可能であった最新のエリアへ戻るための行程および概略の距離や所要時間を知ることができ、少なくとも、その距離を戻れば通信が可能になるという安心感がある。また、そのエリアへ戻るための行程および概略の距離や所要時間を基に、戻るべきか、そのまま突き進んで新たな通信可能エリアに至ることを期待するかを決断することを支援できる。
【図面の簡単な説明】
【０００９】
【図１】図１は、本発明の携帯電話端末の機能ブロック図および該携帯電話端末を含む通信システムの全体構成図である。
【図２】図２は、携帯電話端末の動作フロー図である。
【図３】図３は、ログ記録部に記録されたログ記録テーブルを模式的に表した図である。
【図４ａ】図４ａは、経路情報の表示例である。
【図４ｂ】図４ｂは、通信不可エリアの表示例である。
【図４ｃ】図４ｃは、警告メッセージの表示例である。
【発明を実施するための形態】
【００１０】
以下、本発明の実施形態について図面を用いながら説明する。
【００１１】
図１は、本発明の携帯電話端末１０の機能ブロック図および該携帯電話端末１０を含む通信システムの全体構成図である。
【００１２】
図示するように、本発明の通信システムは、携帯電話端末１０と、携帯電話網３０に接続する基地局２０と、複数のＧＰＳ衛星４０とから構成される。
【００１３】
携帯電話端末１０は、基地局２０と無線を介して携帯電話網３０に接続する機能（以下無線通信と呼称）と、携帯電話網３０上の図示しない他携帯電話端末と通話または通信を行う機能（以下、呼制御機能と呼称）と、複数のＧＰＳ衛星４０の位置から携帯電話端末１０の現在位置（経度、緯度）を取得する機能（以下、ＧＰＳ機能と呼称）と、を有するスマートホン等の携帯電話機である。
【００１４】
携帯電話端末１０は、基地局２０から届く電波を監視し、基地局２０から届く電波の電波強度が、基地局２０との通信状態が限界の状態（例えば、携帯電話端末のアンテナ表示が０本で、「圏外」ではない状態：以下、通信限界と呼称）を示す値になると、ＧＰＳ機能を起動して自携帯電話端末の位置の記録を開始する。そして、自携帯電話端末の現在位置を探索する操作（以下、位置探索操作と呼称）または、基地局２０との通信が不可能なエリアを表示する操作（以下、通信不可エリア表示操作と呼称）があると、記録した現在位置を元に各表示情報を生成し、これを表示する。次に、携帯電話端末１０の各動作について、機能ブロック図を用いて説明する。
【００１５】
図示するように、携帯電話端末１０は、無線通信部１０１と、通信制御部１０２と、端末制御部１０３と、表示部１０４と、操作部１０５と、電波強度計測・通信限界判定部１０６と、ＧＰＳ機能部１０７と、ログ記録部１０８と、通信不可エリア記録部１０９と、特定操作検知部１１０と、表示情報生成部１１１と、から構成される。
【００１６】
無線通信部１０１は、無線通信に係る制御全般を行う。
【００１７】
通信制御部１０２は、携帯電話網３０上の他携帯電話端末との呼制御機能に係る制御全般を行う。
【００１８】
端末制御部１０３は、携帯電話端末１０における端末の処理全般を行う。
【００１９】
表示部１０４は、ＬＥＤ（Ｌｉｇｈｔ  Ｅｍｉｔｔｉｎｇ  Ｄｉｏｄｅ）やＬＣＤ（Ｌｉｑｕｉｄ  Ｃｒｙｓｔａｌ  Ｄｉｓｐｌａｙ）等の表示デバイスや通話音声を出力するスピーカを含む表示器であり、端末制御部１０３からの指示に応じて特定の表示情報を表示する。
【００２０】
操作部１０５は、テンキー等のキー入力部、通話音声を入力するマイクを含む入力機器であり、入力機器によって入力された情報を端末制御部１０３に渡す。
【００２１】
電波強度計測・通信限界判定部１０６は、所定のタイミング（例えば１０分：以下、電波強度計測タイミングと呼称）になると、無線通信部１０１を監視し、基地局２０から送出された電波の電波強度を計測する。そして電波強度計測・通信限界判定部１０６は、計測した電波強度に応じて、ＧＰＳ機能部１０７に所定の処理を指示する。具体的には、計測した電波強度が、基地局２０と携帯電話端末１０が無線通信を行う上で通信限界を示す値（例えば、電波強度が３０ｄＢ〜４０ｄＢ：以下、通信可能限界値と呼称）であった場合、電波強度計測・通信限界判定部１０６は、ＧＰＳ機能部１０７にＧＰＳ機能の起動の処理（以下、ＧＰＳ起動処理と呼称）と、該ＧＰＳ機能を用いて現在位置を取得し、取得した現在位置と時刻情報と基地局２０との通信状態（通信限界）とを含むＧＰＳロガー情報の記録処理（以下、ＧＰＳロガー記録処理と呼称）を指示する。また、計測した電波強度が、基地局２０と携帯電話端末１０とが無線通信を行う上で無線通信不可能な値（例えば、電波強度が０ｄＢ〜２９ｄＢ：以下、通信不可値と呼称）であった場合、電波強度計測・通信限界判定部１０６は、ＧＰＳ機能部１０７にＧＰＳロガー記録処理をＧＰＳ機能部１０７に指示する。また、計測した電波強度が、基地局２０と携帯電話端末１０とが無線通信を行う上で高速通信が可能な値（例えば、電波強度が８０ｄＢ〜９０ｄＢ；以下、高速通信可能値と呼称）であった場合、電波強度計測・通信限界判定部１０６は、ＧＰＳ機能部１０７にＧＰＳ機能の停止（以下、ＧＰＳ停止処理と呼称）と、ログ記録部１０８に記録されたＧＰＳロガー情報の削除処理（以下、ＧＰＳロガー削除処理と呼称）を指示する。また、計測した電波強度が、上述の通信可能限界値、通信不可値、高速通信可能値以外の値であった場合、電波強度計測・通信限界判定部１０６は、ＧＰＳ機能部１０７に携帯電話端末１０の近くに以前、通信不可エリアとして記録したエリアが存在するか否かの判定処理（以下、通信不可エリア判定処理と呼称）を指示する。
【００２２】
ＧＰＳ機能部１０７は、電波強度計測・通信限界判定部１０６からＧＰＳ起動処理を指示されると、ＧＰＳ機能部１０７は、自ＧＰＳ機能を起動させ、現在位置を取得する。また、ＧＰＳ停止処理を指示されると、ＧＰＳ機能部１０７は、現在位置の取得を停止する。また、ＧＰＳロガー記録処理を指示されると、ＧＰＳ機能部１０７は、現在位置を取得し、ＧＰＳロガー情報をログ記録部１０８に記録し、通信不可エリア記録部１０９に予め記憶された座標マップに現在位置（緯度、経度）をプロットする。そしてプロットした位置から半径数ｍの範囲（例えば１０ｍ）を通信不可エリアとして記録する。また、ＧＰＳロガー削除処理を指示されると、ＧＰＳ機能部１０７は、ログ記録部１０８に記録されたＧＰＳロガー情報を削除する。また、電波強度計測・通信限界判定部１０６から通信不可エリア判定処理を指示されると、ＧＰＳ機能部１０７は、現在位置を取得し、表示情報生成部１１１へ、取得した現在位置と共に、通信不可エリア判定処理の指示を渡す。
【００２３】
ログ記録部１０８は、ＧＰＳロガー情報をログ記録テーブル１０８０として記録する記録部である。
【００２４】
図３は、ログ記録部１０８に記録されたログ記録テーブル１０８０を模式的に表した図である。図示するように、ログ記録テーブル１０８０は、Ｎｏ．のフィールド１０８１と、ログ記録時刻のフィールド１０８２と、通信状態のフィールド１０８３と、位置情報１０８４のフィールドとから構成される。Ｎｏ．のフィールド１０８１は、ログの件数管理を行う。ログ記録時刻のフィールド１０８２は、ログを記録した時刻を記録する。通信状態のフィールド１０８３は、ログを記録した時の電波強度情報を記録する。位置情報のフィールド１０８４は、ログを記録した時の携帯電話端末１０の現在位置を記録する。図２の説明に戻る。
【００２５】
通信不可エリア記録部１０９は、通信不可エリアを記録する記録部である。
【００２６】
特定操作検知部１１０は、端末制御部１０３を監視して、ユーザが操作部１０５を介して位置探索操作または通信不可エリア表示操作をしたことを検知する。位置探索操作または通信不可エリア表示操作（以下、２つの操作を併せて特定操作と呼称する。）をしたことを検知すると、特定操作検知部１１０は、表示情報生成部１１１に特定操作を検知したことを通知する。
【００２７】
表示情報生成部１１１は、特定操作検知部１１０から位置探索操作を検知したことを通知されると、ログ記録部１０８から通信可能位置までの経路情報を生成し、端末制御部１０３へ渡すと共に経路情報の表示を指示する。
【００２８】
図４ａは経路情報の表示例である。表示情報生成部１１１は、ログ記録テーブル１０８０に記録されているフィールド１０８４の位置情報を位置座標として座標図に一部もしくは全てプロットする。次に、プロットされた各位置座標のログ記録時刻を参照し、ログ記録時刻の最も新しい時刻の位置座標から順に次に新しい記録時刻の位置座標に矢印を引いていき、これを経路情報として表示する。尚、ここで、図面上の三角のマークは現在位置を意味する。図２の説明に戻る。
【００２９】
表示情報生成部１１１は、特定操作検知部１１０から通信不可エリア表示操作を検知したことを通知されると、通信不可エリアの表示情報を生成し、端末制御部１０３へ渡すと共に通信不可エリアの表示を指示する。
【００３０】
図４ｂは、通信不可エリアの表示例である。携帯電話端末１０は通信不可エリア記録部１０９に記録されている通信不可エリアに携帯電話端末１０の現在位置を重ねて表示する。尚、ここで、図面上の三角のマークは現在位置を意味する。
【００３１】
表示情報生成部１１１は、ＧＰＳ機能部１０７から現在位置と通信不可エリア判定処理の指示を渡されると、渡された現在位置と通信不可エリア記録部１０９に記憶した通信不可エリアから、現在位置が通信不可エリアまで数ｍ以内（例えば３ｍ以内）に存在するか否かを判定する。そして、通信不可エリアが現在位置から数ｍ以内に存在する場合、予め記憶された警告メッセージを生成し、端末制御部１０３へ渡すと共に、通信不可エリアの表示を指示する。図４ｃは、警告メッセージの表示例である。次に携帯電話端末１０の動作フロー図について説明する。
【００３２】
図２は、携帯電話端末１０の動作フロー図である。本フローは、携帯電話端末１０の電源が投入され、呼制御機能およびＧＰＳ機能を起動可能な状態から開始される。
【００３３】
携帯電話端末１０の電源が投入され、呼制御機能およびＧＰＳ機能を起動可能な状態になると、携帯電話端末１０は、電波強度計測タイミングになる（Ｓ１０１）、位置探索操作がある（Ｓ１０６）、通信不可エリア表示操作がある（Ｓ１１２）、の何れかの状態になるのを待つ。
【００３４】
電波強度計測タイミングになった場合（Ｓ１０１、Ｙｅｓ）、携帯電話端末１０は、基地局２０から受信した電波の電波強度を計測する（Ｓ１０２）。そして、携帯電話端末１０は、計測した電波強度が通信不可値か（Ｓ１０３）、計測した電波強度が高速通信可能値か（Ｓ１０８）、計測した電波強度が通信可能限界値か（Ｓ１１４）、計測した電波強度がそれら（通信不可値，高速通信可能値，通信可能限界値）以外の値でかつＧＰＳ機能を起動しているか（Ｓ１１８）、の何れかを判定する。
【００３５】
電波強度が通信不可値の場合（Ｓ１０３、Ｙｅｓ）、携帯電話端末１０は、現在位置を取得し、取得した現在位置と“通信不可”の状態情報と共にログ記録部１０８に記録する（Ｓ１０４）。そして、携帯電話端末１０は、通信不可エリア記録部１０９に通信不可エリア情報を記録する（Ｓ１０５）。そして、ステップ１０１に戻る。
【００３６】
電波強度が高速通信可能値の場合（Ｓ１０８、Ｙｅｓ）、携帯電話端末１０は、ＧＰＳ機能を起動しているか判定する（Ｓ１０９）。ＧＰＳ機能が起動していれば（Ｓ１０９、Ｙｅｓ）、携帯電話端末１０は、ＧＰＳ機能を停止し（Ｓ１１０）、ログ記録部に記載された情報を全て削除する（Ｓ１１１）。そして、ステップ１０１に戻る。
【００３７】
ＧＰＳ機能が起動していないならば（Ｓ１０９、Ｎｏ）、ステップ１０１へ戻る。
【００３８】
電波強度が通信可能限界値の場合（Ｓ１１４、Ｙｅｓ）、携帯電話端末１０は、ＧＰＳ機能を起動しているか判定する（Ｓ１１５）。ＧＰＳ機能が起動していなければ（Ｓ１１５、Ｙｅｓ）、携帯電話端末１０は、ＧＰＳ機能を起動する（Ｓ１１６）。そして現在位置を取得し、取得した現在位置と“通信可能”の状態情報と共にログ記録部に記録し（Ｓ１１７）、近傍に通信不可エリアが存在するか判定する（Ｓ１２０）。近傍に通信不可エリアが存在する場合（Ｓ１２０，Ｙｅｓ）、携帯電話端末１０は、通信不可エリアが近い旨の警告を表示する（Ｓ１２１）。そして、ステップ１０１に戻る。
【００３９】
また、近傍に通信不可エリアが存在しない場合（Ｓ１２０、Ｎｏ）、携帯電話端末１０は、何もせずにステップ１０１に戻る。
【００４０】
また、ＧＰＳ機能が起動していれば（Ｓ１１５、Ｎｏ）、携帯電話端末１０は、ステップ１１７へと進む。
【００４１】
電波強度が、通信不可値、高速通信可能値、通信可能限界値以外でＧＰＳ機能を起動している場合（Ｓ１１８、Ｙｅｓ）、携帯電話端末１０は、現在位置を取得し（Ｓ１１９）、ステップ１２０へ進む。
【００４２】
位置探索操作があった場合（Ｓ１０６、Ｙｅｓ）、携帯電話端末１０は、基地局２０から受信した電波の電波強度を計測し（Ｓ１２２）、電波強度が、通信不可値か判定する（Ｓ１２３）。電波強度が通信不可値の場合（Ｓ１２３、Ｙｅｓ）、携帯電話端末１０は、ログ記録部１０８から通信可能位置までの経路情報を生成・表示し（Ｓ１０７）、ステップ１０１へ戻る。電波強度が通信不可値でない場合（Ｓ１２３、Ｎｏ）は、携帯電話端末１０は現在位置の地図をダウンロードし、表示（Ｓ１２４）し、ステップ１０１へ戻る。
【００４３】
ステップ１１２で通信不可エリア表示操作があった場合（Ｓ１１２、Ｙｅｓ）、携帯電話端末１０は、通信不可エリア記録部に記録された通信不可エリアを表示し（Ｓ１１３）、ステップ１０１へ戻る。
【００４４】
以上、本発明の実施形態について説明した。
【００４５】
本発明の実施形態において、携帯電話端末１０は、電波強度計測タイミングになると、基地局２０から受信した電波の電波強度を計測し、計測した電波強度が通信可能限界値になるとＧＰＳ機能を起動し、起動したＧＰＳ機能から現在位置を取得し、取得した現在位置と基地局２０と携帯電話端末１０の通信状態を対応づけてＧＰＳロガー情報として記録する。そして、携帯電話端末１０のユーザから位置探索操作があると、携帯電話端末１０は、定期的に記録したＧＰＳロガー情報から通信可能位置までの経路情報を生成し、これを携帯電話端末１０の表示部１０４に表示する。
【００４６】
これにより、携帯電話端末１０のユーザは、通信可能であった最新のエリアへ戻るための行程および概略の距離や所要時間を知ることができる。
【００４７】
尚、本実施の形態では、携帯電話端末１０は、ユーザによって位置探索操作がなされた場合に、ＧＰＳロガー情報を表示すると説明しているが、本願はこれに限定されない。
【００４８】
例えば、電波強度が予め定められた値以下になった位置から、現在位置までの距離が所定の距離を超えた時点で、その旨を自動報知するようにしてもよい。これによりユーザは通信不可能なエリアに侵入したことを気付くことが出来る。
【００４９】
また、例えば通信不可能な位置から、偶然、通信可能な位置へ戻った際、位置探索操作がなくとも家族等、任意の宛先へ取得した現在位置を自動通知して知らせておくようにしてもよい。
【００５０】
尚、本実施例では、図４ａにおいて経路情報の表示について説明しているが本願はこれに限定しない。例えば、図４ａにおける矢印が交差した場合、即ち、同じ経路を通過した場合に、同じ経路を通過している旨をユーザに通知してもよい。さらには矢印が交差してできたループしている経路情報を削除するようにしてもよい。これにより、ユーザは、意図せず同じ経路を回っていることを気づくことができ、さらに通信可能なエリアまで戻るための正確な経路を知ることができる。
【００５１】
尚、本発明を実施する形態では、スマートホンを例に説明しているが本願はこれに限定されない。例えば、ＧＰＳ機能を具備したタブレット端末であってもよい。
【符号の説明】
【００５２】
１０・・・携帯電話端末
２０・・・基地局
３０・・・携帯電話網
４０・・・ＧＰＳ衛星
１０１・・・無線通信部
１０２・・・通信制御部
１０３・・・端末制御部
１０４・・・表示部
１０５・・・操作部
１０６・・・電波強度計測・通信限界判定部
１０７・・・ＧＰＳ機能部
１０８・・・ログ記録部
１０９・・・通信不可エリア記録部
１１０・・・特定操作検知部
１１１・・・表示情報生成部
【図１】
2016138859.tif 000003
【図２】
2016138859.tif 000004
【図３】
2016138859.tif 000005
【図４ａ】
2016138859.tif 000006
【図４ｂ】
2016138859.tif 000007
【図４ｃ】
2016138859.tif 000008